(57)【要約】【課題】温冷モードにおいて温風と冷風とで意図する温度差が実現されやすくなる加熱送風システムを提供する。【解決手段】加熱送風システムは、ハウジング３とファン５とヒータ８とを有する加熱送風装置（ヘアドライヤ１）と、ヘアドライヤ１を制御するプログラム１０２と、を備える。プログラム１０２は、温冷モードをヘアドライヤ１の動作モードとして取得した場合に、予め設定された温風の温度と、温風の駆動時間と、冷風の温度と、冷風の駆動時間とにしたがって、ファン５の回転動作とヒータ８の加熱動作とを制御するステップを有する。ファン５の回転動作とヒータ８の加熱動作とを制御するステップは、ヒータ８の設定が温風に対応する温度である場合のファン５の回転数を、ヒータ８の設定が冷風に対応する温度である場合のファン５の回転数よりも小さく設定するものである。【選択図】図８
2020171409.tif 000002
【特許請求の範囲】
【請求項１】
ハウジングの内部に配置されるファンおよび加熱部を有する加熱送風装置と、
前記加熱送風装置を制御するプログラムと、を備え、
前記プログラムは、
前記加熱送風装置の動作モードを取得するステップと、
前記加熱送風装置の吐出口から温風と冷風とを予め設定された周期で交互に吐出させる温冷モードを前記加熱送風装置の動作モードとして取得した場合に、予め設定された温風の温度と、温風の駆動時間と、冷風の温度と、冷風の駆動時間とにしたがって、前記ファンの回転動作と前記加熱部の加熱動作とを制御するステップとを有し、
前記ファンの回転動作と前記加熱部の加熱動作とを制御するステップは、前記加熱部の設定が温風に対応する温度である場合の前記ファンの回転数を、前記加熱部の設定が冷風に対応する温度である場合の前記ファンの回転数よりも小さく設定するものである、加熱送風システム。
【請求項２】
前記加熱送風装置は、環境温度を検知する環境温度検知部を有し、
前記プログラムは、前記環境温度検知部によって検知された環境温度を取得するステップを有し、
前記ファンの回転動作と前記加熱部の加熱動作とを制御するステップは、取得した環境温度が予め設定された環境温度よりも高い場合、前記ファンの回転数をより大きく設定し、取得した環境温度が予め設定された環境温度よりも低い場合、前記ファンの回転数をより小さく設定するものである、請求項１に記載の加熱送風システム。
【発明の詳細な説明】
【技術分野】
【０００１】
本開示は、加熱送風システムに関する。
【背景技術】
【０００２】
従来の加熱送風システムとして、例えば特許文献１には、ハウジングの内部に配置されるファンおよび加熱部を有する加熱送風装置と、加熱送風装置を制御するプログラムとを備えるものが開示されている。
【０００３】
この加熱送風システムは、動作モードとして温冷モードを取得した場合に、加熱送風装置の吐出口から例えば風温７０℃の温風を吐出させ、次いで加熱送風装置の吐出口から例えば風温３０℃の冷風を吐出させ、以降これらの動作を繰り返すものである。
【先行技術文献】
【特許文献】
【０００４】
【特許文献１】特開２０１５−２０２１２９号公報
【発明の概要】
【発明が解決しようとする課題】
【０００５】
しかしながら、前述の加熱送風システムにおいては、温冷モードの風温によらず風量は一定であり、温冷モードにおいて温風と冷風とで意図する温度差が得られない可能性がある。
【０００６】
本開示は、このような従来技術の有する課題に鑑みてなされたものである。そして、本開示の目的は、温冷モードにおいて温風と冷風とで意図する温度差が実現されやすくなる加熱送風システムを提供することにある。
【課題を解決するための手段】
【０００７】
上記課題を解決するために、本開示の態様にかかる加熱送風システムは、ハウジングの内部に配置されるファンおよび加熱部を有する加熱送風装置と、加熱送風装置を制御するプログラムと、を備える。プログラムは、加熱送風装置の動作モードを取得するステップを有する。また、プログラムは、加熱送風装置の吐出口から温風と冷風とを予め設定された周期で交互に吐出させる温冷モードを加熱送風装置の動作モードとして取得した場合に、予め設定された温風の温度と、温風の駆動時間と、冷風の温度と、冷風の駆動時間とにしたがって、ファンの回転動作と加熱部の加熱動作とを制御するステップを有する。ファンの回転動作と加熱部の加熱動作とを制御するステップは、加熱部の設定が温風に対応する温度である場合のファンの回転数を、加熱部の設定が冷風に対応する温度である場合のファンの回転数よりも小さく設定するものである。
【発明の効果】
【０００８】
本開示によれば、温冷モードにおいて温風と冷風とで意図する温度差が実現されやすくなる加熱送風システムを提供することができる。
【図面の簡単な説明】
【０００９】
【図１】本実施形態における加熱送風装置の側面図である。
【図２】本実施形態における加熱送風装置の正面図である。
【図３】本実施形態における加熱送風装置の平面図である。
【図４】本実施形態における加熱送風装置の上側内部を示す平面図である。
【図５】図４のＡ−Ａ断面図である。
【図６】本実施形態における加熱送風装置の本体部内でイオン生成部と酸性成分生成部、帯電微粒子液体生成部が設けられる部分を示す斜面図である。
【図７】本実施形態における加熱送風装置の本体部内でイオン生成部と酸性成分生成部、帯電微粒子液体生成部が設けられる部分を拡大して示す平面図である。
【図８】本実施形態における加熱送風システムの機能構成を示すブロック図である。
【図９】温冷モードにおけるファンの回転動作、ヒータの加熱動作を示す特性図である。
【図１０】風量切替ありの場合と風量切替なしの場合とにおける経過時間に対する風温の変化を示す図である。
【図１１】本実施形態の変形例における加熱送風装置の断面図である。
【発明を実施するための形態】
【００１０】
以下、本実施形態について、図面を参照しながら説明する。
【００１１】
先ず、加熱送風装置について図１から図７に基づいて説明する。図１は、本実施形態における加熱送風装置の側面図を示すものである。
【００１２】
本実施形態にかかる加熱送風装置としてのヘアドライヤ（ヘアケア装置）１は、使用者が手で握る部分としての把持部１ａと、把持部１ａと交差する方向に結合された本体部１ｂとを備えている。そして、使用時には把持部１ａと本体部１ｂとで略Ｔ字状あるいは略Ｌ字状（本実施形態では略Ｔ字状）の外観を呈するように折り畳み可能に構成されている。
【００１３】
把持部１ａの突出端部からは、電源コード２が引き出されている。また、把持部１ａは、本体部１ｂ側の根元部１ｃと先端部１ｄとに分割されており、これら根元部１ｃと先端部１ｄとが、連結部１ｅを介して回動可能に連結されている。なお、先端部１ｄは、本体部１ｂに沿う位置まで折り畳むことができるようになっている。
【００１４】
ヘアドライヤ１の外壁をなす（外郭を構成する）ハウジング３は、複数の分割体を継ぎ合わせて構成されている。ハウジング３の内部には空洞が形成されており、この空洞内に、各種電気部品が収容されている。
【００１５】
本体部１ｂの内部には、その長手方向（図５の左右方向）の一方側（右側）の入口開口（吸入口）４ａから出口開口（吐出口）４ｂに至る風洞（送風流路）が形成されている。この風洞内に収容された送風部としてのファン５を回転させることによって空気流Ｗ１が形成される。すなわち、空気流Ｗ１は、外部から入口開口４ａを介して風洞内に流入し、当該風洞内を通って出口開口４ｂから外部に排出される。
【００１６】
入口開口（吸入口）４ａは、網目状の枠体８１で覆われており、この枠体８１の開口部８１ａの形状はハニカム形状となっている。こうすることで、桟部８１ｂの強度を均等に確保させつつ入口開口（吸入口）４ａの総開口面積を大きくとることができ、風量の増大を図ることができるようになる。
【００１７】
また、枠体８１には、図５に示すように、開口率が５５〜９０パーセント程度であって、３００〜６５０μｍ程度の網目幅のメッシュ８２が一体成形されている。このメッシュ８２は、例えば金属やポリエステル等の難燃性樹脂を用いることができ、このように網目幅の細かいメッシュ８２を一体成形することで、細かい埃や毛髪等が空気流路内に入ってしまうのをより確実に抑制できるようにしている。
【００１８】
また、本体部１ｂにおいて、ハウジング３の外筒３ａの内部には、略円筒状の内筒６が設けられており、空気流Ｗ１はこの内筒６の内側を流れるようになっている。内筒６の内側では、最も上流側にファン５が配置され、その下流側にファン５を駆動するモータ７が配置され、モータ７のさらに下流側に加熱部（加熱機構）としてのヒータ８が配置されている。
【００１９】
ヒータ８を作動させたときには、出口開口４ｂから温風が吹き出されることになる。なお、本実施形態では、ヒータ８は、帯状かつ波板状の電気抵抗体を内筒６の内周に沿って巻回して配置したものとして構成されているが、かかる構成には限定されない。
【００２０】
また、ハウジング３内には、遷移金属微粒子を生成する遷移金属微粒子生成部、イオンを生成するイオン生成部、酸性成分を生成する酸性成分生成部、帯電微粒子液体を生成する帯電微粒子液体生成部のうち、少なくとも１つの生成部が設けられている。
【００２１】
イオン生成部としては、例えば、針状の第１電極（放電電極）と円環状の第２電極（対向電極）とで構成され、この電極間に高電圧を印可することでイオンを生成するようにしたものを用いることができる。
【００２２】
また、帯電微粒子液体生成部としては、例えば、針状の第１電極（放電電極）と円環状の第２電極（対向電極）とで構成され、この電極間に高電圧を印可することで帯電微粒子液体を生成するようにしたものを用いることができる。なお、帯電微粒子液体を生成する際には、第１電極に帯電微粒子液体を生成するための液体が水供給デバイス（図示せず）から供給された状態で、第１電極と第２電極との間に高電圧が印可される。
【００２３】
この第１電極への液体の供給方法としては、例えば、液体を含有したタンク（水供給デバイス）から第１電極に供給する方法を用いることができる。また、第１電極を冷却して第１電極表面で水分を結露させることで液体を供給する方法とすることも可能である。この液体は、第１電極表面で結露した水分（結露水）、または、第１電極から溶解した成分や第１電極の周囲の構成物から溶解した成分を含む結露水である。
【００２４】
酸性成分生成部は、酸性成分を生成することができる方式であればよい。例えば、第１電極（放電電極）と第２電極（対向電極）とで構成される酸性成分生成部とし、この電極間に高電圧を印可することで、放電により生成される酸性成分を有するＮＯｘ−（Ｈ２Ｏ）ｎ等を生成する方法を用いることができる。
【００２５】
また、酸性の特性を有する液体を静電霧化させたり、揮発させたりすることで酸性成分を生成することも可能である。また、固体から昇華させる方法で酸性成分を生成するようにしてもよい。
【００２６】
本実施形態では、本体部１ｂ内で、ハウジング３と内筒６との間に形成された空洞９に、２つ（複数）の金属微粒子生成部３０，４０および１つのミスト生成部５０が配置されている。
【００２７】
したがって、生成部（金属微粒子生成部３０，４０およびミスト生成部５０）で生成された成分は、分岐流Ｗ２とともに吐出するようになっているが、出口開口（吐出口）４ｂから空気流Ｗ１とともに吐出させるようにしてもよい。また、生成部はヒータ（加熱部）８が設けられている内筒６内に設けてもよいが、本実施形態に示すように、ヒータ（加熱部）８で加熱されない部位に設けることが好ましい。
【００２８】
金属微粒子生成部３０，４０では、遷移金属微粒子、イオンおよび酸性成分が生成される。一方、ミスト生成部５０では、帯電微粒子液体（ナノイー（登録商標））、イオンおよび酸性成分が生成される。
【００２９】
このように、本実施形態では、金属微粒子生成部３０，４０が、遷移金属微粒子生成部、イオン生成部および酸性成分生成部を兼ねている。そして、ミスト生成部５０が、帯電微粒子液体生成部、イオン生成部および酸性成分生成部を兼ねている。
【００３０】
本実施形態では、ハウジング３内に、遷移金属微粒子を生成する遷移金属微粒子生成部、イオンを生成するイオン生成部、酸性成分を生成する酸性成分生成部および帯電微粒子液体を生成する帯電微粒子液体生成部の４種類の生成部が設けられていることとなる。また、イオン生成部および酸性成分生成部はそれぞれ３箇所に設けられることとなり、遷移金属微粒子生成部および帯電微粒子液体生成部は１箇所に設けられることとなる。
【００３１】
なお、４種類の生成部は、それぞれ独立した状態で設けるようにしてもよい。また、４種類の生成部の全てを設ける必要はなく、いずれか１種類の生成部のみをハウジング３内に設けるようにしてもよいし、４種類の生成部のなかから任意に選択した２種類の生成部をハウジング３内に設けるようにしてもよい。
【００３２】
そして、本実施形態では、生成されるイオン、帯電微粒子液体、酸性成分、遷移金属微粒子の生成量を制御部１０で制御しており、毛髪の状態（髪質、長さ、乾燥状態）に応じて好適な量の成分が供給されるようにしている。
【００３３】
また、本体部１ｂ内で、ハウジング３と内筒６との間に形成された空洞９には、ミスト生成部５０に電圧を印加する電圧印加回路１２等も収容されている。なお、金属微粒子生成部３０，４０に電圧を印加する電圧印加回路（図示せず）もハウジング３内に収容されているが、この電圧印加回路（図示せず）は、相互干渉による不具合を抑制するため、電圧印加回路１２が収容された部位とは別の部位に収容されている。
【００３４】
電圧印加回路１２および金属微粒子生成部３０，４０に電圧を印加する電圧印加回路（図示せず）は、把持部１ａ内、または本体部１ｂ内で把持部１ａの延長線上となる領域に配置するのが好適である。使用者が把持部１ａを持ったときに、電圧印加回路１２および電圧印加回路（図示せず）の質量に起因する回転モーメントを小さくして、使用者の手に作用する負荷を小さくするためである。
【００３５】
また、これら電圧印加回路１２および電圧印加回路（図示せず）を、内筒６を挟んで相互に反対側となる位置に配置するのが好適である。こうすれば、電圧印加回路１２と電圧印加回路（図示せず）との相互干渉による電圧の低下や不安定化等の不具合をより一層抑制することができる。
【００３６】
さらに、本実施形態では、空洞９の側面部分（空洞９の電圧印加回路１２が収容された部位とは別の部位）に、温風と冷風の切り換えや動作モードの切り替え等を行うスイッチ部２１が収容されている。
【００３７】
また、把持部１ａの先端部１ｄ内の空洞には、電源のＯＮとＯＦＦとの切り換え等を行う別のスイッチ部１６が収容されている。これら電気部品同士は、金属導体等からなる芯線を絶縁性樹脂等で被覆したリード線１７によって接続されている。
【００３８】
なお、金属微粒子生成部３０に繋がるリード線１７、金属微粒子生成部４０に繋がるリード線１７およびミスト生成部５０に繋がるリード線１７は、相互に交叉させることなく極力離間させて配索するのが好適である。それぞれのリード線１７を流れる電流の相互干渉によって、金属微粒子生成部３０，４０あるいはミスト生成部５０で所望の電圧が得られなくなったり、電圧が不安定になったりするのを抑制するためである。
【００３９】
本実施形態では、スイッチ部１６は、ハウジング３の表面に露出した操作子１８を操作することで、内部接点の開閉状態を切り換えることができるように構成されている。このとき、操作子１８を上下方向にスライドさせることで、内部接点の開閉状態を多段階に切り換えることができるようにすることが可能である。
【００４０】
例えば、電源オフ、弱風、中風、強風の４つのモードに切り換えられるようにすることが可能である。この場合、操作子１８を最下部に位置させた状態を電源オフとすることができる。
【００４１】
そして、操作子１８を最下部から一段階上方にスライドさせた際に、電源オン状態となって、弱風が送風されるようにすることができる。さらに、操作子１８を最下部から二段階上方にスライドさせた際に、中風が送風され、操作子１８を最上部までスライドさせた際に、強風が送風されるようにすることができる。
【００４２】
一方、温風と冷風の切り換えや動作モード等を行うスイッチ部２１は、ハウジング３の表面（側面）に形成した操作子１９や操作子１９ａ、１９ｂを操作する（押圧する）ことで、内部接点の開閉状態を切り換えることができるように構成されている。そして、本体部１ｂの上部には、現在選択されているモードを表示する表示部１４が形成されている。
【００４３】
これらのスイッチ部２１や表示部１４等は、制御部１０と電気的に接続されている。
【００４４】
本実施形態では、操作子１９を操作することで、温風と冷風の切り換えを行うことができるようになっている。なお、操作子１９を操作する度に、温風、冷風、温風…と単に温冷２つのモードを切り替えるだけでなく、「ＨＯＴ」、「温冷」、「ＣＯＬＤ」、「ＳＣＡＬＰ」の４つの風温モードを切り替えることができるようにすることも可能である。
【００４５】
このとき、選択されているモードを認識することが可能な文字等が表示部１４に表示されるようにするのが好ましい。以下、各モードおよび表示部１４への表示方法の一例について説明する。
【００４６】
「ＨＯＴ」とは、温風を出力するモードであって、通常の使用時に毛髪にあたる風の温度が約７０℃から８０℃となるようにしたモードである。この温風を出力するモードが選択されているときには、表示部１４に「ＨＯＴ」の文字が表示されるようにする。
【００４７】
また、「温冷」とは、例えば冷風５秒、温風７秒といったように、温風と冷風を交互に出力するモードである。この「温冷」モードが選択されているときには、表示部１４に矢印が表示されるとともに、温風と冷風の出力に応じて「ＨＯＴ」と「ＣＯＬＤ」が交互に表示されるようにする。
【００４８】
また、「ＣＯＬＤ」とは、冷風を出力するモードであって、通常の使用時に毛髪にあたる風の温度が約３０℃となるようにしたモードである。この冷風を出力するモードが選択されているときには、表示部１４に「ＣＯＬＤ」の文字が表示されるようにする。
【００４９】
また、「ＳＣＡＬＰ」とは、低温風を出力するモードであって、通常の使用時に毛髪にあたる風の温度が約５０℃となるようにしたモードである。この「ＳＣＡＬＰ」モードは、主として頭皮のケアを行う際に選択されるモードとして設定するものである。そして、「ＳＣＡＬＰ」モードが選択されているときには、表示部１４に「ＳＣＡＬＰ」の文字が表示されるようにする。
【００５０】
そして、操作子１８を上方にスライドさせて電源オン状態にすると、制御部１０が通電され、現在の風温モードに応じた駆動信号でヒータ８が駆動されるとともに、現在の風温モードを表示するように表示部１４の風温表示が制御される。なお、操作子１８を上方にスライドさせて単に電源オン状態にした状態では、「ＨＯＴ」モードが選択されており、温風が送風される。
【００５１】
そして、操作子１９を操作するたびに、押下信号が制御部１０に送られて４つの風温状態が「温冷」モード、「ＣＯＬＤ」モード、「ＳＣＡＬＰ」モード、「ＨＯＴ」モードの順に切り替わるようになっている。
【００５２】
さらに、本実施形態では、表示部１４に「ＳＫＩＮ」の文字が形成されており、弱風モードで、「ＣＯＬＤ」を選択した場合に、「ＣＯＬＤ」とともに「ＳＫＩＮ」が表示されるようにしている。
【００５３】
すなわち、弱風モードで、「ＣＯＬＤ」を選択した場合には、「ＳＫＩＮ」モードとして使用することもできるようになっている。なお、「ＳＫＩＮ」モードは、ミスト等が含まれた冷風を肌に当てることで肌の水分保湿を適度な状態となるようにする等、肌のケアを行う際に選択されるモードである。
【００５４】
なお、上記説明は一例に過ぎず、各モードの表示方法としては、様々な方法を用いることができる。また、温風と冷風の切り換えモードについても、様々なモードの設定が可能である。
【００５５】
さらに、本実施形態では、ヘアドライヤ１は、環境温度（外気温度：使用者がいる場所の室温、気温等）を検知する環境温度検知部６０を備えている。そして、環境温度検知部６０が検知した環境温度に応じて、ヒータ（加熱部）８への通電量を制御部１０により変化させるようにしている。
【００５６】
この環境温度検知部６０は、例えば風温センサを用いることができ、ヘアドライヤ１内部のファン（送風部）５よりも下流に設けられており、ヒータ８による熱の影響を受けない部位に設けられている。本実施形態では、図６に示すように、環境温度検知部６０は、空洞９内（内筒６よりも外側）の間隙ｇ１よりも下流側に配置されている。
【００５７】
そして、環境温度検知部６０は、ヒータ８による熱の影響を受けにくい状態で環境温度を検知し、環境温度検知部６０により検知された環境温度に応じて制御部１０によりヒータ８への通電量を制御している。
【００５８】
例えば、環境温度１０℃の環境では、ヒータ８にはより大きな電流での通電を行い、例えば１１０〜１３０℃の温風、好ましくは１２０℃の温風を発生させるようにすることができる。一方、環境温度３０℃の環境では、ヒータ８への通電量を減少させて、例えば５０〜７０℃の温風、好ましくは６０℃の温風を発生させるようにすることができる。
【００５９】
また、本実施形態では、操作子１９ａを操作することで、髪質モードの切り替えを行うことができるようになっている。具体的には、毛髪の太い使用者が主として選択する髪太モードと、毛髪の細い使用者が主として選択する髪細モードの２つの髪質モードの選択ができるようになっている。
【００６０】
本実施形態では、選択された髪質モードに応じて、ハウジング３内に設けられる生成部で生成される成分量の調整を行うようにしている。
【００６１】
また、本実施形態では、操作子１９ｂを操作することで、髪長さモードの切り替えを行うことができるようになっている。具体的には、髪の短い使用者が主として選択するショートモードと、髪の長い使用者が主として選択するロングモードと、髪の長さが中程度の使用者が主として選択するミディアムモードの３つの髪長さモードの選択ができるようになっている。
【００６２】
本実施形態では、選択された髪長さモードに応じて、ハウジング３内に設けられる生成部で生成される成分量の調整を行うようにしている。
【００６３】
そして、髪質モードや髪長さモードの選択状態についても、様々な方法で表示部１４に表示させることが可能である。例えば、ロングモードを選択した場合には、ロングモードの文字や長髪の絵等が表示されるようにすることができる。すなわち、髪質モードや髪長さモードのうちの選択したモードそのものが判別できる表示方法（文字や髪の長さを示す絵等）とすることが可能である。
【００６４】
また、本実施形態のヘアドライヤ１は、通常の使用状態で、ある程度使用した際には、使用開始時に比べて生成される成分量が少なくなるように制御されている。
【００６５】
そして、選択された髪長さモード毎に、生成される成分量が所定の値となるまでの時間（使用開始時の生成量に対する割合が所定の値となるまでの時間）を異ならせている。
【００６６】
したがって、選択された髪長さモードを表示する場合に、選択されたモードにおける生成量が減少するまでの時間を表示部１４に表示するという方法もある。
【００６７】
また、本実施形態のヘアドライヤ１は、選択された髪質モード毎に、使用開始時における生成される成分量を異ならせている。すなわち、制御部１０によって生成量が多い第１の制御モードでの制御や生成量が少ない第２の制御モードでの制御が行われるようにしている。
【００６８】
したがって、選択された髪質モードを表示する場合に、選択されたモードにおいて使用開始時に生成される成分量の分量を表示部１４に表示することも可能である。
【００６９】
また、髪質モードや髪長さモードの選択状態だけでなく様々な状態を表示部１４に示すこともできる。
【００７０】
例えば、イオン生成部、帯電微粒子液体生成部、酸性成分生成部、遷移金属微粒子生成部等での各成分の生成量の制御部１０による制御状態を表示部１４に表示することができる。これらの表示方法としては、イオン量や、帯電微粒子液体量、酸性成分量、遷移金属微粒子量の変化をＬＥＤの点灯状態の変化で示す方法がある。
【００７１】
また、生成量が多い第１の制御モードや生成量が少ない第２の制御モードでの駆動状態を表示部１４において表示することもできる。
【００７２】
これらの表示方法としては、生成量の多い第１の制御モードと生成量の少ない第２の制御モードでの駆動状態を毛髪への髪ケア効果の一部を表現に使用し、ボリュームダウン、ボリュームアップとして表現する方法がある。
【００７３】
表示部１４は、制御基板上に実装されたチップ型の発光ダイオード１１と、発光ダイオード１１の光を拡散する白色乃至乳白色の拡散板１３と、透明樹脂からなる表示パネル１５とからなる。
【００７４】
表示パネル１５は、ハウジング３と別体に形成して両面接着テープでハウジング３に固定してもよいし、ハウジング３と一体に形成してもよい。表示パネル１５の裏面には、外部光を反射するハーフミラー層を印刷または転写により設けるのが好ましい。
【００７５】
そして、ハーフミラー層の上面の発光ダイオード１１と対向する面には、発光ダイオード１１からの光を選択的に遮光する遮光層を印刷または塗装により設けるのが好ましい。
【００７６】
なお、“選択的に遮光する”とは、風温表示、「ＨＯＴ」、「温冷」、「ＣＯＬＤ」、「ＳＣＡＬＰ」および「ＳＫＩＮ」等の文字や絵柄が表れるように、特定の領域（例えば、文字部分以外の領域）を遮光するという意味である。
【００７７】
表示部１４をかかる構成とすることで、電源オフの状態では、発光ダイオード１１が発光していないためヘアドライヤ１の内部が暗く、ヘアドライヤ１の外部が明るくても、外部光がハーフミラー層により反射され、内部部品や文字等を見えにくくすることができる。
【００７８】
一方、電源をオンにすると、発光ダイオード１１が発光し、その光が遮光層とハーフミラー層を透過して外部に照射される。このとき、遮光層により文字部分以外の領域については遮光されるので、外部には文字が表れることになる。
【００７９】
このとき、表示したい文字や絵柄に応じて、発光ダイオード１１が異なる色を発光するようにしてもよいし、同色の発光ダイオード１１を発光させるようにしてもよい。
【００８０】
また、表示部１４の印刷色は本体部１ｂの色に合わせて変更してもよい。ただし、白色やピンク色・ゴールド色等の場合、単色印刷では十分に遮光することができないため、外観用印刷色で印刷した後、遮光用として金属粉末の配合率の高いインク材料を使用しているシルバー系の印刷色にて印刷を行うとよい。
【００８１】
内筒６は、筒状部６ａと、筒状部６ａから径方向外側に向けて伸びて周方向に分散して配置された複数の支持リブ６ｂ（図５では一箇所のみ図示）と、を有している。また、内筒６は、支持リブ６ｂを介して筒状部６ａに接続され当該筒状部６ａの軸方向と略直交する方向に張り出すフランジ部６ｃを有している。
【００８２】
筒状部６ａとフランジ部６ｃとの間には間隙ｇ１が形成されており、この間隙ｇ１を介して空洞９内に空気流Ｗ１の一部が分岐されて流入し、分岐流Ｗ２が形成されている。なお、分岐流Ｗ２の空洞９内への導入口となる間隙ｇ１は、ファン５の下流でありかつヒータ８の上流側となる位置に設けられている。したがって、分岐流Ｗ２は、ヒータ８によって加熱される前の、比較的冷たい空気流となる。
【００８３】
そして、分岐流Ｗ２の一部はさらに分岐されて分岐流Ｗ３となっている。この分岐流Ｗ３は、後述する金属微粒子吹出口（イオン放出口）２０ａ，２０ｂやミスト吹出口（イオン放出口）２０ｃを通過せず、内筒６とハウジング３との間を通って出口開口４ｂの外周部分から吹き出す比較的冷たい空気流となっている。
【００８４】
ハウジング３には、空洞９の出口開口４ｂ側となる位置に、略円弧状の貫通孔（開口）３ｂが形成されており、この貫通孔３ｂを絶縁性の合成樹脂材料からなるカバー２０で塞いである。
【００８５】
このように、本実施形態では、カバー２０は、ハウジング３に形成された貫通孔（開口）３ｂを覆うようにして当該ハウジング３に取り付けられている。また、本実施形態では、カバー２０は、ハウジング３に対して図５の左側から右側に移動させることで、ハウジング３に取り付けられている。
【００８６】
したがって、本実施形態では、風洞（送風流路）の下流側から上流側への方向が、カバー２０のハウジング３への取り付け方向となっている。
【００８７】
また、カバー２０には、金属微粒子吹出口（イオン放出口）２０ａ，２０ｂとミスト吹出口（イオン放出口）２０ｃとがそれぞれ独立して形成されている。
【００８８】
なお、ミスト生成部（イオン発生部）５０および金属微粒子生成部（イオン発生部）３０，４０の前方には、イオンが流れるイオン流路４ｃが形成されることとなる。このため、金属微粒子吹出口（イオン放出口）２０ａ，２０ｂおよびミスト吹出口（イオン放出口）２０ｃは、イオン流路４ｃの下流側に設けられることとなる。
【００８９】
また、カバー２０は、金属微粒子あるいはミストによる帯電を抑制するため、ハウジング３よりも導電性を低くするのが好適である。カバー２０が帯電すると、その電荷によって、金属微粒子生成部３０，４０やミスト生成部５０から電荷を帯びた金属微粒子およびマイナスイオンやミストが放出されにくくなるからである。
【００９０】
カバー２０の帯電を抑制するためには、帯電を起こしにくい材料、例えば、ＰＣ（ポリカーボネート）樹脂を用いてカバー２０を形成し、カバー２０の材質を帯電を起こしにくい材質とするのが好ましい。なお、この部分では、カバー２０がヘアドライヤ１の外壁を成している（外郭を構成している）。
【００９１】
また、本実施形態では、金属微粒子吹出口２０ａ，２０ｂの孔径を、ミスト吹出口２０ｃの孔径より小さくしてある。すなわち、ミスト吹出口２０ｃを介してのミスト生成部５０のメンテナンスや状態の確認等をより容易に行わせるとともに、金属微粒子吹出口２０ａ，２０ｂを介しての手指や道具等の誤進入を抑制してある。
【００９２】
なお、カバー２０の内側にリブ（突部：接続部）を設け、このリブを後述するミスト生成部５０の対向電極（第２電極）５２に当接させることで、カバー２０の除電を行うようにするのが好ましい。
【００９３】
このように、本実施形態では、カバー２０とミスト生成部（イオン発生部）５０、カバー２０と金属微粒子生成部（イオン発生部）３０，４０とで、３つのイオン生成装置１００が形成されている。
【００９４】
さらに、本実施形態では、毛髪の帯電状態を変更することが可能な帯電部（帯電付与パネル）１ｆを設けている。この帯電部１ｆは、把持部１ａの近傍に設けられている。具体的には、帯電部１ｆは、把持部１ａの外表面に露出する導電性樹脂（導電部材）で形成されている。
【００９５】
また、本実施形態では、ミスト吹出口２０ｃの周辺部に、金属微粒子吹出口（イオン放出口）２０ａ，２０ｂを形成している。
【００９６】
具体的には、金属微粒子吹出口２０ａと金属微粒子吹出口２０ｂとを、ミスト吹出口２０ｃが中心となるように並設している。
【００９７】
すなわち、カバー２０には、金属微粒子吹出口２０ａ、２０ｂおよびミスト吹出口２０ｃが、ヘアドライヤ１の幅方向（図２の左右方向）に、金属微粒子吹出口２０ａ、ミスト吹出口２０ｃ、金属微粒子吹出口２０ｂの順に並ぶように形成されている。
【００９８】
このような配置とすることで、マイナスに帯電しているミストが、ミスト吹出口２０ｃの周辺部２０ｄに形成された金属微粒子吹出口（イオン放出口）２０ａ、２０ｂから吹き出されるマイナスイオンによって、外側へ拡散してしまうのを抑制できるようにしている。
【００９９】
その結果、ミストの直進性が向上してミストが髪に届きやすくなり、髪ケア効果をより高めることができる。
【０１００】
また、金属微粒子生成部３０，４０およびミスト生成部５０は、空洞９内でヘアドライヤ１の幅方向（図２の左右方向）に、金属微粒子生成部３０、ミスト生成部５０、金属微粒子生成部４０の順に並列に配置されている。
【０１０１】
そして、ミスト生成部５０と、当該ミスト生成部５０と隣り合う金属微粒子生成部（マイナスイオン発生部）３０、４０との間には、遮蔽板（仕切部）６ｄが設けられている。
【０１０２】
図６に示すように、遮蔽板６ｄを、ヘアドライヤ１の上下方向およびミストの吹き出し方向に延在するように配置することで、金属微粒子やミストが金属微粒子吹出口２０ａ、２０ｂおよびミスト吹出口２０ｃから吹き出される前に混合してしまうのを抑制している。
【０１０３】
次に、加熱送風装置としてのヘアドライヤ１を備えた加熱送風システム２００について図８から図１１に基づいて説明する。図８は、本実施形態における加熱送風システムの機能構成を示すブロック図を示すものである。
【０１０４】
加熱送風システム２００は、ハウジング３とファン５とヒータ８とを有するヘアドライヤ１と、ヘアドライヤ１を制御するプログラム１０２と、を備える。
【０１０５】
また、加熱送風システム２００は、ダウンロードサーバ１０３を備える。なお、ダウンロードサーバ１０３は、ローカルエリアネットワーク（ＬＡＮ）にあるものであってもよく、広域ネットワーク（ＷＡＮ）にあるものであってもよい。
【０１０６】
ヘアドライヤ１は、ハウジング３と、送風部としてのファン５と、加熱部としてのヒータ８と、これらファン５およびヒータ８等を制御する制御部１０と、環境温度（外気温度：使用者がいる場所の室温、気温等）を検知する環境温度検知部６０と、を有する。
【０１０７】
プログラム１０２は、例えば、ダウンロードサーバ１０３からダウンロードされて、スマートフォン等の操作装置１０１にインストールされる。この操作装置１０１が、プログラム１０２を有する。
【０１０８】
なお、プログラム１０２は、ダウンロードサーバ１０３からダウンロードされて操作装置１０１にインストールされるものに限定されず、操作装置１０１にプリインストールされるものであってもよい。また、プログラム１０２は、操作装置１０１に組み込まれるものに限定はされず、例えば、ヘアドライヤ１の制御部１０に組み込まれるものであってもよい。
【０１０９】
ヘアドライヤ１が電源オン状態とされるに伴い、ヘアドライヤ１の環境温度検知部６０が、環境温度を計測する。
【０１１０】
プログラム１０２は、温冷モードをヘアドライヤ１の動作モードとして取得した場合、予め設定された温風の温度と、温風の駆動時間と、冷風の温度と、冷風の駆動時間とにしたがって、ファン５の回転動作とヒータ８の加熱動作とを制御する。
【０１１１】
具体的には、プログラム１０２は、環境温度検知部６０により計測された環境温度に基づいて、あらかじめ定められたテーブルから、温風時のヒータ８の出力及びファン５の回転数と、冷風時のヒータ８の出力及びファン５の回転数とを取得する。プログラム１０２は、予め定められたテーブルから取得した温風時のヒータ８の出力及びファン５の回転数と、冷風時のヒータ８の出力及びファン５の回転数とをヘアドライヤ１の制御部１０に付与する。そして、ヘアドライヤ１の制御部１０が、温風時のヒータ８の出力及びファン５の回転数と、冷風時のヒータ８の出力及びファン５の回転数とに応じて、ファン５、ヒータ８の制御を行う。
【０１１２】
ヘアドライヤ１の制御部１０は、図９中の下側のグラフに示すように、ヒータ８への通電のオン・オフを制御しており、ヒータ８への通電をオフにした場合には、温度が比較的低い冷風がヘアドライヤ１から吐出される。一方、ヒータ８への通電をオンにした場合には、温度が比較的高い温風が吐出される。
【０１１３】
本実施形態では、温冷モードにおけるヒータ８への通電の周期を１２秒と比較的長くしており、ヒータ８への通電がオンとなる時間ｔ１を７秒、ヒータ８への通電がオフ（停止）となる時間ｔ２を５秒としている（図９参照）。
【０１１４】
また、ヘアドライヤ１の制御部１０は、図９中の上側のグラフに示すように、ファン５の回転数（モータ７の回転数）を制御しており、ファン５の回転を停止する（モータ７の駆動を停止する）ことで、送風部５による送風が停止される。また、予め設定された回転数でファン５を回転させる（モータ７を駆動させる）ことで、ファン５による送風が行われる。
【０１１５】
また、温冷モードにおけるファン５、ヒータ８の制御においては、ヒータ８の設定が温風に対応する温度である場合のファン５の回転数は、ヒータ８の設定が冷風に対応する温度である場合のファン５の回転数よりも小さく設定される。換言すれば、ヒータ８の設定が冷風に対応する温度である場合のファン５の回転数は、ヒータ８の設定が温風に対応する温度である場合のファン５の回転数よりも大きく設定される。
【０１１６】
ヒータ８の設定が温風に対応する場合（比較的少ない量の送風が行われる際）には、風量が１ｍ３／分以下（例えば０．７ｍ３／分）となるようにするのが好ましい。こうすれば、温冷モードの風量を風温によらず一定とした場合と比較して、温度差ΔＴ１の分だけ風温の低下を抑制することができる（図１０参照）。この場合の風量は、例えば、出口開口（吐出口）４ｂの面積および出口開口（吐出口）４ｂから吐出される風の流速（平均速度）等から求めることができる。
【０１１７】
一方、ヒータ８の設定が冷風に対応する場合（比較的多い量の送風が行われる際）には、風量が１ｍ３／分以上（例えば１．３ｍ３／分）となるようにするのが好ましい。こうすれば、温冷モードの風量を風温によらず一定とした場合と比較して、温度差ΔＴ２の分だけ風温の低下を促進することができる（図１０参照）。この場合の風量は、例えば、出口開口（吐出口）４ｂの面積および出口開口（吐出口）４ｂから吐出される風の流速（平均速度）等から求めることができる。
【０１１８】
また、プログラム１０２は、環境温度検知部６０（風温センサ）により計測された環境温度を取得し、環境温度検知部６０により計測された環境温度と、予め設定された環境温度との比較を行う。
【０１１９】
温冷モードにおけるヒータ８、ファン５の制御においては、環境温度検知部６０から取得した環境温度が予め設定された環境温度よりも高い場合、ヒータ８の出力が標準条件と同じに設定され、ファン５の回転数が標準条件よりも大きくなるように設定される。このようなファン５の回転数の制御（補正）を行うのは、風量の増加により使用者に供給される風温を低くして、使用者が感じる熱さを低減するためである。
【０１２０】
なお、温冷モードにおけるヒータ８の制御においては、環境温度検知部６０から取得した環境温度が予め設定された環境温度よりも高い場合、ヒータ８の出力が標準条件よりも小さくなるように設定されてもよい。このようなヒータ８の出力の制御（補正）を行うのは、使用者が感じる熱さを低減するためである。この場合、ファン５の回転数が標準条件と同じであると、使用者に供給される風温が低くなる。このため、温冷モードにおけるファン５の制御においては、環境温度検知部６０から取得した環境温度が予め設定された環境温度よりも高い場合、ファン５の回転数が標準条件よりも小さくなるように設定される。
【０１２１】
一方、温冷モードにおけるヒータ８、ファン５の制御においては、環境温度検知部６０から取得した環境温度が予め設定された環境温度よりも低い場合、ヒータ８の出力が標準条件と同じに設定され、ファン５の回転数が標準条件よりも小さくなるように設定される。このようなファン５の回転数の制御（補正）を行うのは、風量の減少により使用者に供給される風温を高くして、使用者が感じる寒さを低減するためである。
【０１２２】
なお、温冷モードにおけるヒータ８の制御においては、環境温度検知部６０から取得した環境温度が予め設定された環境温度よりも低い場合、ヒータ８の出力が標準条件よりも大きくなるように設定されてもよい。このようなヒータ８の出力の制御（補正）を行うのは、使用者が感じる寒さを低減するためである。この場合、ファン５の回転数が標準条件と同じであると、使用者に供給される風温が高くなる。このため、温冷モードにおけるファン５の制御においては、環境温度検知部６０から取得した環境温度が予め設定された標準温度よりも低い場合、ファン５の回転数が標準条件よりも大きくなるように設定される。
【０１２３】
なお、このような環境温度に基づく制御（補正）は、温風の条件のみに対して行ってもよく、冷風の条件のみに対して行ってもよい。
【０１２４】
以下に、本実施形態による作用効果を説明する。
【０１２５】
（１）加熱送風システム２００は、ハウジング３の内部に配置されるファン５および加熱部（ヒータ８）を有する加熱送風装置（ヘアドライヤ１）と、ヘアドライヤ１を制御するプログラム１０２と、を備える。プログラム１０２は、ヘアドライヤ１の動作モードを取得するステップを有する。プログラム１０２は、温冷モードを加熱送風装置の動作モードとして取得した場合に、予め設定された温風の温度と、温風の駆動時間と、冷風の温度と、冷風の駆動時間とにしたがって、ファン５の回転動作とヒータ８の加熱動作とを制御するステップを有する。ファン５の回転動作とヒータ８の加熱動作とを制御するステップは、ヒータ８の設定が温風に対応する温度である場合のファン５の回転数を、ヒータ８の設定が冷風に対応する温度である場合のファン５の回転数よりも小さく設定するものである。
【０１２６】
温冷モードにおけるファン５、ヒータ８の制御においては、ヒータ８の設定が温風に対応する温度である場合のファン５の回転数は、ヒータ８の設定が冷風に対応する温度である場合のファン５の回転数よりも小さく設定される。このため、ヒータ８の設定が温風に対応する温度である場合には、風量を比較的小さくすることにより、風温の低下を抑制することができる。一方、ヒータ８の設定が冷風に対応する温度である場合には、風量を比較的大きくすることにより、風温の低下を促進することができる。その結果として、温冷モードにおいて温風と冷風とで意図する温度差が実現されやすくなる（図１０参照）。
【０１２７】
（２）ヘアドライヤ１は、環境温度を検知する環境温度検知部６０を有し、プログラム１０２は、環境温度検知部６０によって検知された環境温度を取得するステップを有する。ファン５の回転動作とヒータ８の加熱動作とを制御するステップは、取得した環境温度が予め設定された環境温度よりも高い場合、ファン５の回転数をより大きく設定するものである。また、ファン５の回転動作とヒータ８の加熱動作とを制御するステップは、取得した環境温度が予め設定された環境温度よりも低い場合、ファン５の回転数をより小さく設定するものである。
【０１２８】
かかる構成により、実際の環境温度（外気温度：使用者がいる場所の室温、気温等）を踏まえて、ヘアドライヤ１の風温をより意図した風温とすることができる。
【０１２９】
以上、本実施形態について説明したが、上記実施形態には限定されず、種々の変形が可能である。
【０１３０】
例えば、図１２に示すように、加熱送風装置としてのブラシ付きヘアドライヤ１Ｂに本開示を適用することも可能である。
【０１３１】
ブラシ付きヘアドライヤ１Ｂは、棒状に形成されており、使用者が把持部１ａを持って先端部１ｇに設けられたブラシ部２３を髪に当てて整髪する（髪を梳かす）ものである。ブラシ部２３には、複数のブリッスル２３ａが突設されている。
【０１３２】
外壁をなす（外郭を構成する）ハウジング３Ｂは、複数の分割体を継ぎ合わせて構成されており、その内部には風洞（送風流路）９Ｂが形成され、この風洞９Ｂ内に、各種電気部品が収容されている。
【０１３３】
また、把持部１ａのブラシ部２３に近い部分には、膨出した形状の外壁をなす（外郭を構成する）カバー２０Ｂが取り付けられている。このカバー２０Ｂとハウジング３Ｂとによって形成される風洞９Ｂ内に、金属微粒子生成部３０，４０とミスト生成部５０とが収容されている。
【０１３４】
カバー２０Ｂには、ブリッスル２３ａに向けて開放された排出口２０ａ，２０ｂが形成されている。金属微粒子生成部３０，４０で生成された金属微粒子ならびにミスト生成部５０で生成されたミストは、この排出口２０ａ，２０ｂから外部に放出され、髪や地肌に作用することになる。なお、金属微粒子生成部３０，４０およびミスト生成部５０には、回路部２４から電圧が印加される。
【０１３５】
また、風洞９Ｂに空気流Ｗを生じさせるファン５Ｂおよびこのファン５Ｂを回転させるモータ７Ｂを設け、金属微粒子生成部３０，４０で生成した金属微粒子ならびにミスト生成部５０で生成したミストを、分岐流Ｗｐに乗せて排出できるようにしている。
【０１３６】
モータ７Ｂおよびファン５Ｂは、ハウジング３Ｂ内に形成される風洞９Ｂ内に収容されている。モータ７Ｂは回路部２４に含まれる駆動回路によって回転駆動される。
【０１３７】
ハウジング３Ｂの基端側（図１２では下側）には空気の吸入口となる開口部１ｈが形成されており、ファン５Ｂが回転すると、空気が外部から開口部１ｈを介して風洞９Ｂ内に流入し、当該風洞９Ｂ内を通ってブラシ部２３に向けて排出される空気流Ｗが形成される。空気流Ｗは、ブラシ部２３のブリッスル２３ａの根元に形成された吹出孔（吐出口）２３ｂから吹き出される。
【０１３８】
さらに、使用者の帯電によって金属微粒子の放出が阻害されるのを抑制するため、把持部１ａの表面に帯電部（帯電付与パネル）１ｆを露出させてある。
【０１３９】
また、遮蔽壁２２Ｂを設け、ミスト生成部５０で生成されたミストが金属微粒子生成部３０，４０に到達するのを抑制している。
【０１４０】
このようなブラシ付きヘアドライヤ（加熱送風装置）１Ｂに本開示を適用しても、上記実施形態と同様の作用、効果を奏することができる。
【０１４１】
また、毛髪に髪ケア効果を与えるとともに、毛髪が比較的乾燥した状態のときに発生量を減少させることで髪ケア効果が向上する髪ケア剤を放出させるようにすることも可能である。このような髪ケア剤としては、例えば、オイル成分を含有する剤が挙げられる。オイル成分を含有する剤は、毛髪表面への付着が少量であることで髪ケア効果が向上するものがある。
【０１４２】
また、カバーやハウジング、その他細部のスペック（形状、大きさ、レイアウト等）も適宜に変更可能である。
【符号の説明】
【０１４３】
１  ヘアドライヤ（加熱送風装置）
１Ｂ  ブラシ付きヘアドライヤ（加熱送風装置）
３  ハウジング
５  ファン
８  ヒータ（加熱部）
６０  環境温度検知部
１０２  プログラム
２００  加熱送風システム
【図１】
2020171409.tif 000003
【図２】
2020171409.tif 000004
【図３】
2020171409.tif 000005
【図４】
2020171409.tif 000006
【図５】
2020171409.tif 000007
【図６】
2020171409.tif 000008
【図７】
2020171409.tif 000009
【図８】
2020171409.tif 000010
【図９】
2020171409.tif 000011
【図１０】
2020171409.tif 000012
【図１１】
2020171409.tif 000013